(57)【要約】【課題】撮像装置の撮像素子などの特性で決まる色空間よりも一般的には狭い標準色空間への変換が行なわれると、映像表示装置では、正しい色再現ができない。【解決手段】撮像装置などの送信元電子機器から第一映像情報を取得し、第一映像情報を定義した色空間を示す第一色空間情報を取得し、第一映像情報を、第一色空間情報を変数とした演算によって、第一色空間情報と異なる第二色空間情報による色空間で定義される第二映像情報に変換する電子機器について開示を行なう。また、電子機器では、映像表示装置などで利用される映像情報の定義に用いられる色空間情報をも変数とした演算によって変換を行なってもよい。【選択図】図１３
2008098849.tif 000002
【特許請求の範囲】
【請求項１】
他の電子機器である送信元電子機器から第一映像情報を取得する第一映像情報取得部と、
第一映像情報を定義した第一色空間を示す第一色空間情報を取得する第一色空間情報取得部と、
第一色空間情報を変数とした演算によって第一映像情報を第一色空間とは異なる色空間である第二色空間を用いて定義した映像情報である第二映像情報に変換する第二変換部と、
を有する電子機器。
【請求項２】
送信元電子機器から取得した映像情報を保持する映像情報保持部と、
他の電子機器である送信先電子機器における映像情報を定義する第三色空間を示す第三色空間情報を取得する第三色空間情報取得部と、
第三色空間情報を変数とした演算によって、保持されている映像情報を、第三色空間を用いて定義した映像情報である第三映像情報に変換する第三変換部と、
送信先電子機器に対して第三映像情報を送信する第三映像情報送信部と、
を有する電子機器。
【請求項３】
送信元電子機器から取得する第四映像情報の定義に用いられた色空間を示す第四色空間情報を取得する第四色空間情報取得部と、
送信先電子機器にて利用する第五映像情報の定義に用いられた色空間を示す第五色空間情報を取得する第五色空間情報取得部と、
取得した第四映像情報を、取得した第四色空間情報及び第五色空間情報に基づいて変換する第四／五変換部と、
を有する電子機器。
【請求項４】
送信元電子機器又は／及び送信先電子機器との映像情報送受信接続を検知する検知部と、
検知部での検知結果に基づいて前記色空間情報の取得命令を出力する制御部と、
を有する請求項１から３のいずれか一に記載の電子機器。
【請求項５】
変換部は、
複数の変換関数を保持する変換関数保持手段と、
送信元電子機器又は／及び送信先電子機器の識別情報に応じて前記保持されている変換関数を選択する選択手段と、
を有する請求項１から４のいずれか一に記載の電子機器。
【請求項６】
送信元電子機器が、
映像情報を撮影する撮影部と、撮影部にて映像情報を撮影した際の撮影条件を取得する撮影条件取得部と、映像情報をその撮影条件と関連付けて送信する映像情報送信部と、
を有する場合に、
送信された映像情報と関連付けられた撮影条件を取得する撮影条件取得部を有し、
変換部は、取得した撮影条件にも基づいて前記変換を行なう撮影条件依存変換手段を有する請求項１から５のいずれか一に記載の電子機器。
【請求項７】
送信先電子機器が、映像情報を視聴させるためのディスプレイと、その視聴条件を送信する視聴条件送信部を有する場合に、
送信された視聴条件を取得する視聴条件取得部を有し、
変換部は、取得した視聴条件にも基づいて前記変換を行なう視聴条件依存変換手段を有する請求項２または３に記載の電子機器。
【請求項８】
送信元電子機器又は／及び送信先電子機器と映像情報及び色空間情報を送信又は／及び受信するための有線端子を備えている請求項１から７のいずれか一に記載の電子機器。
【請求項９】
電子機器は、送信元電子機器又は／及び送信先電子機器と映像情報及び色空間情報を送信又は／及び受信するための赤外線端子を備えている請求項１から７のいずれか一に記載の電子機器。
【請求項１０】
電子機器は、送信元電子機器又は／及び送信先電子機器と映像情報及び色空間情報を送信又は／及び受信するための赤外線以外の無線端子を備えている請求項１から７のいずれか一に記載の電子機器。
【請求項１１】
電子機器は、送信元電子機器又は／及び送信先電子機器の色空間情報を、放送を介して受信するための放送受信部を有する請求項１から１０のいずれか一に記載の電子機器。
【請求項１２】
電子機器は、送信元電子機器又は／及び送信先電子機器の色空間情報を可搬型記憶媒体から取得するための媒体接続部を有する請求項１から１０のいずれか一に記載の電子機器。
【請求項１３】
電子機器は、送信元電子機器又は／及び送信先電子機器の色空間情報を、通信を介して受信するための通信受信部を有する請求項１から１０のいずれか一に記載の電子機器。
【請求項１４】
取得した映像情報を規格化された色空間にて定義される映像情報である規格化映像情報にて媒体に記録する規格化記録部と、
取得した映像情報を前記媒体に記録する映像情報記録部と、
をさらに有する請求項１から１３のいずれか一に記載の電子機器。
【請求項１５】
送信先電子機器に対して送信先電子機器で再生に利用される色空間での定義が明らかなリファレンス映像情報を送信するリファレンス映像情報送信部と、
送信元電子機器から前記送信先電子機器で再生されたリファレンス映像情報を撮像した映像であるサンプル映像情報を取得するサンプル映像情報取得部と、
送信したリファレンス映像情報と、取得したサンプル映像情報とに基づいて送信元電子機器が出力する映像情報を定義する色空間を示す色空間情報を算出する色空間情報算出部と、
をさらに有する請求項１から１４のいずれか一に記載の電子機器。
【発明の詳細な説明】
【技術分野】
【０００１】
本発明は、映像情報の色空間の変換を行なう電子機器などに関する。
【背景技術】
【０００２】
デジタルカメラなどの撮像装置が急速に普及し、映像情報の取得が容易となってきた。特に、今日では、撮像される映像情報のピクセル数がギガ単位に迫ろうとしており、高精度の映像情報の取得が可能となってきている。また、ハードディスクレコーダなどに代表される映像記録再生装置も急速に普及し、デジタルカメラなどで撮像された映像情報の蓄積、再生が普通の家庭内でも容易に行なえるようになってきた。また、液晶パネルなどに代表される表示用部品を用いた薄型ディスプレイなどの映像表示装置の表示サイズが急速に拡大しており、また、表示品質が高くなってきている。
【０００３】
図１は、従来技術における撮像装置１０１、映像記録再生装置１０２、映像表示装置１０３から構成される映像撮像記録表示システムの機能ブロック図を例示している。
【０００４】
撮像装置１０１は、例えば、感光部１０４と、標準色空間変換部１０５と、を有する。感光部１０４は、映像を検出する部であり、例えば、ＣＣＤやＣＭＯＳセンサなどの撮像素子により構成される。感光部１０４で検出された映像の情報は、標準色空間変換部１０５へ送られ、ｓＲＧＢなどの標準色空間により定義される映像情報に変換される。変換された映像情報は、撮像装置１０１のメモリなどに記憶され得る。記憶された映像情報は、撮像装置１０１と映像記録再生装置１０２とが接続されたときに、撮像装置１０１のメモリなどから映像記録再生装置１０２の有する記録媒体部１０６に複写や移動などがされる。ここに、記録媒体部１０６は、例えば、ハードディスクドライブなどの磁気的な記録手段あるいは、ＤＶＤ（Ｄｉｇｉｔａｌ  Ｖｅｒｓａｔｉｌｅ  Ｄｉｓｃ）などの光学的手段、フラッシュメモリなど電子的手段などを有して情報を記録する部である。
【０００５】
そして、映像記録再生装置１０２に接続された映像表示装置１０３に、映像記録再生装置１０２に記録された映像情報が表示される。映像表示装置１０３は、例えば、標準色空間逆変換部１０７と、信号処理部１０８と、表示部１０９と、を有する。標準色空間逆変換部１０７は、ｓＲＧＢなどの標準色空間により定義されている映像情報を、その映像表示装置が表示のために用いる色空間における映像情報に変換する部である。信号処理部１０８は、標準色空間逆変換部１０７によってその映像表示装置が表示のために用いる色空間における映像情報の信号を処理して、液晶パネルなどの表示素子の各ピクセルの制御信号を生成し、表示部１０３による表示がされる。
【０００６】
上記において「色空間」という言葉を用いたが、色を数値の組合せにより表現する空間である。図２は、数値の組合せのうち、Ｒ（Ｒｅｄ）、Ｇ（Ｇｒｅｅｎ）、Ｂ（Ｂｌｕｅ）の数値により色を表現するのに用いられるｘｙ色度図（例えば、非特許文献１参照。）を例示する。ｘｙ色度図上における各点が色を表現している。図形２０１は、人間が識別できる色の範囲を示すスペクトル軌跡である。撮像装置や映像表示装置により表現可能な色の範囲は、その中の色のうちの三原色に対応する点、Ｒ、Ｇ、Ｂの三点により形成される三角形２０２となる。この三角形２０２により色空間が定まり、三角形２０２内の任意の点は、ｒ×Ｒ＋ｇ×Ｇ＋ｂ×Ｂという、Ｒ、Ｇ、Ｂを用いた線形結合で表わされる。ここに、ｒは、点Ｒからその点を通過する半直線と対辺ＧＢとの交点とその点との距離であり、ｇは、点Ｇからその点を通過する半直線と対辺ＢＲとの交点とその点との距離であり、ｂは、点Ｂからその点を通過する半直線と対辺ＲＧとの交点とその点との距離である。したがって、Ｒ、Ｇ、Ｂの三点の座標が送り手と送り先とで共有されていれば、（ｒ，ｇ，ｂ）の値を送ることにより、送り手が指定した色が送り先で再現されることになる。
【０００７】
図３は、撮像装置における撮像素子により検出可能な色空間と標準色空間との関係を示す。撮像素子などの特性により、３点Ｒ１、Ｇ１、Ｂ１により形成される三角形の色空間３０２が定義される。撮像装置で撮像が行なわれた色は、Ｒ１、Ｇ１、Ｂ１を用いた線形結合で表わされる。一方、標準色空間は撮像装置、映像表示装置の特性とは独立に定められ、専らどの映像表示装置でも再現できる色の色空間であるので、Ｒ１、Ｇ１、Ｂ１とは異なる三点Ｒ２、Ｇ２、Ｂ２で形成される標準色空間３０３が定義される。したがって、撮像装置の標準色空間変換部１０５は、例えば、色３０４を撮影した場合、Ｒ１、Ｇ１、Ｂ１を用いた線形結合から、Ｒ２、Ｇ２、Ｂ２を用いた線形結合に変換を行なうこととなる。このような変換は一般的には線形変換となる。また、標準色空間は、どの映像表示装置でも再現できる色の色空間であるので、一般には、撮像素子などの特性で定まる色空間よりも範囲が狭くなる。このため、色空間３０２に属するが、標準色空間３０３に属さない色、例えば色３０５は、標準色空間３０３で表現可能で似ている色、例えば色３０６に変換されることになる。このような変換は、一般的には非線形変換となる。
【０００８】
図４は、標準色空間と映像表示装置における表示素子により表現可能な色空間との関係を示す。表示素子などの特性により、３点Ｒ３、Ｇ３、Ｂ３により形成される三角形の色空間４０４が定義される。標準色空間３０３を形成する三点Ｒ２、Ｂ２、Ｇ２を用いた線形結合で表わされる色、例えば色４０５は、標準色空間逆変換部１０７により、三点Ｒ３、Ｇ３、Ｂ３を用いた線形結合に変換され、表示が行なわれる。
【特許文献１】特開平４−２９１５９１号公報
【特許文献２】特開平９−２７１０３６号公報
【非特許文献１】大石巌他編集、ディスプレイの基礎、共立出版、２００１年
【発明の開示】
【発明が解決しようとする課題】
【０００９】
上述したように、撮像装置による撮像が行なわれてから、映像表示装置により表示が行なわれるまでには、色空間変換が一般には２回行なわれる。しかし、撮像装置の標準色空間変換部１０５においては、撮像装置の撮像素子などの特性で定まる色空間よりも一般的には狭い標準色空間への変換が行なわれるため、例えば、標準色空間３０３に属さない色３０２が色３０６に変換された場合、映像表示装置では、色３０６をそのまま表示するので、正しい色再現ができないという問題が発生する。
【００１０】
そこで、以下では、撮像装置により撮像された色を忠実に再現して表示可能とする電子機器などを提供することを目的とする開示を行なう。
【課題を解決するための手段】
【００１１】
かかる目的を解決するために、以下では、送信元電子機器から第一映像情報を取得し、第一映像情報を定義した色空間を示す第一色空間情報を取得し、第一映像情報を、第一色空間情報を変数とした演算によって、第一色空間情報と異なる第二色空間情報による色空間で定義される第二映像情報に変換する電子機器について開示を行なう。
【００１２】
このような電子機器により、送信元電子機器を例えば撮像装置とし、撮像装置の撮像素子などの特性により決まる色空間を第一色空間情報とし、第二色空間情報を映像表示装置の表示素子などの特性により決まる色空間とすることで、撮像装置により撮像された色を忠実に再現して表示することができ、課題が解決される。
【００１３】
また、送信元電子機器から取得した映像情報を保持し、送信先電子機器における色情報を定義する情報である第三色空間情報を取得し、第三色空間情報を変数とした演算により、保持されている映像情報を、第三色空間情報が示す色空間で定義される映像情報に変換する電子機器について開示を行なう。
【００１４】
このような電子機器により、例えば、映像表示装置の表示素子などの特性により定まる色空間を示す情報を第三色空間情報とすることで、撮像装置により撮像された色を忠実に再現して表示することができ、課題が解決される。
【００１５】
また、送信元電子機器から取得する第四映像情報の定義に用いられた色空間を示す情報である第四色空間情報を取得し、送信先電子機器にて利用する第五映像情報の定義に用いられる色空間を示す情報である第五色空間情報を取得して、第四色空間情報の色空間で定義された映像を、第五色空間情報が示す色空間で定義される映像に変換する電子機器について開示を行なう。
【００１６】
このような電子機器により、例えば、送信元電子機器を例えば撮像装置とし、撮像装置の撮像素子などの特性により決まる色空間を示す情報を第四色空間情報とし、映像表示装置の表示素子などの特性により決まる色空間を示す情報を第五色空間情報とすることにより、撮像装置により撮像された色を忠実に再現して表示することができ、課題が解決される。
【００１７】
また、開示される電子機器においては、送信元電子機器又は／及び送信先電子機器との映像情報送受信接続を検知し、その検知結果に基づいて、色空間情報の取得命令を出力するようになっていてもよい。
【００１８】
これにより、撮像装置又は／及び映像表示装置との映像情報の送受信のための接続とトリガーとして、色空間情報の送受信が開始されることとなり、色空間情報の送受信のための操作などを別途行なう手間を省くことができる。
【００１９】
また、開示される電子機器においては、複数の変換関数を保持し、送信元電子機器又は／及び送信先電子機器の識別情報に応じて変換関数を選択するようになっていてもよい。
【００２０】
これにより、送信元電子機器又は／及び送信先電子機器が一度接続されると、映像情報の色空間の変換の変換関数が保持されるので、接続ごとに変換関数を求める手間を省くことができる。
【００２１】
また、開示される電子機器においては、送信元電子機器が撮像装置などであり、撮像の際の撮影条件を送信する場合には、その撮影条件を取得して、撮影条件にも基づいて映像情報の色空間の変換を行なうようになっていてもよい。
【００２２】
これにより、人間の目に自然に見える映像情報を表示することが可能となる。
【００２３】
また、開示される電子機器においては、送信先電子機器が映像表示装置などであり、表示される映像情報の視聴条件を取得して送信する場合には、その視聴条件を取得して、視聴条件にも基づいて映像情報の色空間の変換を行なうようになっていてもよい。
【００２４】
また、開示される電子機器においては、送信元電子機器又は／及び送信先電子機器との通信は、有線手段、赤外線通信手段その他の無線通信手段を用いるものであってもよい。
【００２５】
また、開示される電子機器においては、色空間情報は、放送、通信、媒体の読み取り、によって取得されるようになっていてもよい。
【００２６】
また、開示される電子機器においては、着脱可能な記録媒体などに、取得した映像情報を記録する場合には、規格化されている標準色空間にて定義される映像情報に変換を行なって記録してもよい。
【００２７】
また、開示される電子機器においては、色空間での定義が明らかなリファレンス映像情報を送信し、表示されたリファレンス映像情報を撮影した映像を取得し、リファレンス映像情報と比較を行ない、変換関数を求めるようになっていてもよい。
【発明の効果】
【００２８】
以上によれば、開示される電子機器を用いることにより、撮像装置により撮像された色を再現して表示可能とすることができる。撮像装置の多ピクセル化、撮像できる色空間の拡大、表示装置の大画面化、高再生性能化などにより、撮像時の色をより忠実に再現することが可能となる。
【発明を実施するための最良の形態】
【００２９】
以下、本発明を実施するための最良の形態について、図を参照して実施形態として説明を行なう。なお、本発明は、これら実施形態に何ら限定されるものではなく、その要旨を逸脱しない範囲において、種々なる態様にて実施することができる。
【００３０】
（実施形態Ａ）
実施形態Ａとして、撮像装置から色空間情報を取得可能であり、また、映像表示装置からも色空間情報を取得可能であり、これら取得可能とされた色空間情報に基づいて、撮像装置から取得された映像情報に対して、色空間における補正を行ない、映像表示装置に出力する映像撮像記録表示システムについて開示を行なう。
【００３１】
図５は、実施形態Ａに係る映像撮像記録表示システムの機能ブロック図を例示する。映像撮像記録表示システムは、撮像装置５０１と、映像表示装置５０２と、映像記録再生装置５０３と、からなる。なお、映像記録再生装置５０３に、撮像装置５０１と映像表示装置５０２とが同時に接続されている必要はない。
【００３２】
撮像装置５０１は、感光部５０４と、色空間変換部５０５と、色空間情報出力部５０６と、を有する。感光部５０４は、図１の撮像装置１０１の感光部１０４に相当するので説明を省略する。色空間変換部５０５は、感光部５０４で検出された映像の色空間を、撮像装置５０１の機種として定義されるものに変換を行なう。色空間変換部５０５による変換により得られる映像情報は、撮像装置が例えばデジタルカメラであれば、ローデータ（ｒａｗ  ｄａｔａ）と通常呼ばれるものが好ましい。ローデータは、そのデジタルカメラの機種用に作成された専用ソフトウェアのみにより編集などの操作が可能である。これは、ローデータが定義される色空間の情報がローデータには含まれないためである。実施形態Ａでは、撮像装置は、ローデータなどを映像記録再生装置５０３などに出力する際には、そのローデータが定義される色空間情報が、色空間情報出力部５０６により出力されるようになっている。色空間情報は、例えば、色空間の三角形の領域を定義するためのＲＧＢの各色の座標などを用いて表現される。
【００３３】
映像表示装置５０２は、色空間変換部５０７と、信号処理部５０８と、表示部５０９と、色空間情報出力部５１０と、を有する。色空間変換部５０７は、取得した映像情報の色空間などを、次の信号処理部５０８に適したものに変換を行なう。例えば、輝度信号（Y）と色信号（C）に分離するＹ／Ｃ分離などの変換を行なう。そして、信号処理部５０８は、表示部５０９の表示素子を駆動して映像情報を表示するための信号を生成する。また、色空間情報出力部５１０は、表示部５０９で表示が可能な色空間を示す色空間情報を出力する。この色空間情報も、例えば、色空間の三角形の領域を定義するためのＲＧＢの各色の座標などを用いて表現される。ただし、撮像装置５０１の色空間情報出力部５０６と同じ表現方法（情報のフォーマットなど）が用いられる必要はない。
【００３４】
映像記録再生装置５０３は、記録媒体部５１１と、色空間補正部５１２と、色空間変換情報作成部５１３と、を有する。記録媒体部５１１は、撮像装置から取得した映像情報を、媒体を用いて一時的、あるいは、永続的に記録あるいは記憶する。媒体としては、ハードディスクなどの磁気作用を用いるもの、ＤＶＤなどの光学的作用を用いるもの、あるいは、フラッシュメモリやＤＲＡＭ（Ｄｙｎａｍｉｃ  Ｒａｎｄｏｍ  Ａｃｃｅｓｓ  Ｍｅｍｏｒｙ）などの電子的作用を用いるものなどがある。色空間補正部５１２は、撮像装置５０１から取得され、記録媒体部５１１に記録あるいは記憶された映像情報を、色空間変換情報作成部５１３で作成された変換情報を用いて、色空間の変換を行ない、映像表示装置５０２へ向けて出力する。色空間変換情報作成部５１３は、撮像装置５０１の色空間情報出力部５０６から出力された色空間情報と、映像表示装置５０２の色空間情報出力部５１０から出力された色空間情報と、から、撮像装置５０１から出力された映像情報の色空間を映像表示装置５０２で表示を行なうための色空間に変換するために必要な情報を生成する。すなわち、撮像装置５０１から出力された映像情報の各ピクセルの色の情報、例えば、（ｒ４，ｇ４，ｂ４）という値の組合せ、を映像表示装置５０２で表示を行なうための色空間における色の情報を示す値の組合せに変換を行なう変換関数などを表わす情報を作成する。
【００３５】
図６は、撮像装置５０１から出力された映像情報の色空間から映像表示装置５０２で表示を行なうための色空間への変換を説明するための図である。例えば、三点Ｒ１、Ｇ１、Ｂ１の三点で形成される色空間６０１が、撮像装置５０２が出力する映像情報が定義される色空間であり、三点Ｒ３、Ｇ３、Ｂ３の三点で形成される色空間６０２が、映像表示装置５０２で表示可能な色の空間であるとする。例えば、色６０３が、ｒ４×Ｒ１＋ｇ４×Ｇ１＋ｂ４×Ｂ１という線形結合で表わされるとすると、この線形結合をＲ３、Ｇ３、Ｂ３の三点を用いた線形結合に変換し、そのときのＲ３、Ｇ３、Ｂ３の係数を求めることで変換を行なう。このときの変換は例えば線形変換であり、したがって、色空間変換情報は、行列などを用いて表現が可能である。
【００３６】
図６では、撮像装置５０１から出力された映像情報の色空間が、映像表示装置５０２で表示を行なうための色空間に含まれる場合を示している。もし、そうでない場合があれば、撮像装置５０１から出力された映像情報の色空間に属し、映像表示装置５０２で表示を行なうための色空間に属さない色については、例えば非線形に変換を行なうプログラムなどに渡すパラメータを色空間変換情報として生成する。
【００３７】
なお、撮像装置５０１から映像記録再生装置５０３へ映像情報、色空間情報が送信される手段としては、ＵＳＢ（Ｕｎｉｖｅｒｓａｌ  Ｓｅｒｉａｌ  Ｂｕｓ）などの有線手段、ＩｒＳｉｍｐｌｅなどの赤外線通信手段、Ｂｌｕｅｔｏｏｔｈ（登録商標）などの赤外線通信手段以外の無線手段などがある。同様に映像表示装置３０５から映像記録再生装置５０３へ色空間情報が送信される手段、映像記録再生装置５０３から映像表示装置５０２へ映像情報が送信される手段についても同様である（他の実施形態においても同様である）。また、撮像装置５０１から映像記録再生装置５０３への送信手段と、映像表示装置５０２と映像記録再生装置５０３との送受信手段と、は同じ手段である必要はない。
【００３８】
このような映像撮像記録表示システムによれば、撮像装置から出力される映像情報の色空間を標準色空間に変換することなく、映像表示装置が表示できる色の色空間に直接変換することができるので、撮像された映像の色の再現性を高くして表示することが可能となる。
【００３９】
（実施形態Ｂ）
実施形態Ｂとして、撮像装置の映像再生記録装置への接続が検出されたときに、撮像装置から映像記録再生装置へ色空間情報が出力されることが可能であり、また、映像表示装置の映像記録再生装置への接続が検出されたときに、映像表示装置から映像記録再生装置へ色空間情報が出力されることが可能である映像撮像記録表示システムについて開示を行なう。
【００４０】
図７は、実施形態Ｂに係る映像撮像記録表示システムの機能ブロック図を例示する。映像撮像記録表示システムは、撮像装置７０１と、映像表示装置７０２と、映像記録再生装置７０３と、からなる。撮像装置７０１は、実施形態Ａにおけるように、感光部７０４と、色空間変換部７０５と、色空間情報出力部７０６と、を有する。映像表示装置７０２は、実施形態Ａにおけるように、色空間変換部７０７と、信号処理部７０８と、表示部７０９と、色空間情報出力部７１０と、を有する。映像記録再生装置７０３は、実施形態Ａのように、記録媒体部７１１と、色空間補正部７１２と、色空間変換情報作成部７１３と、を有し、さらに、接続検出部７１４と、変換情報取得部７１５と、接続検出部７１６と、変換情報取得部７１６と、を有する。
【００４１】
接続検出部７１４は、撮像装置７０１と映像記録再生装置７０３とが接続されたことを検出する。この検出がされると、変換情報取得部７１５は、撮像装置７０１に色空間情報出力命令を出力することにより、撮像装置７０１より色空間情報を取得し、色空間変換情報作成部７１３へ出力する。また、接続検出部７１６は、映像表示装置７０２が映像記録再生装置７０３に接続されたことを検出する。この検出がされると、映像表示装置７０２に色空間情報出力命令が出力されることにより、変換情報取得部７１７は、映像表示装置７０２より、色空間情報を取得可能となり、取得した色空間情報を、色空間情報作成部７１３へ出力する。
【００４２】
なお、接続検出部は、映像記録再生装置７０３に備えられるのではなく、撮像装置７０１と、映像表示装置７０２と、に備えられることも考えられる。この場合、撮像装置７０１の有する接続検出部が、映像記録再生装置７０３との接続を検出すると、色空間情報出力部７０６は色空間情報を、色空間変換情報作成部７１３へ出力する。また、映像表示装置７０２の有する接続検出部が、映像記録再生装置７０３との接続を検出すると、色空間情報出力部７１０は色空間情報を、色空間変換情報作成部７１３へ出力する。
【００４３】
本実施形態の構成によれば、映像記録再生装置が色空間情報の取得を接続時に自動的に行なうことができる効果などを有する。
【００４４】
（実施形態Ｃ）
実施形態Ｃとして、色空間変換情報作成部で作成された変換情報を撮像装置、映像表示装置を識別する識別情報と関連付けて保持しておき、接続検出部が、撮像装置、映像表示装置の識別情報を接続時に検出し、過去に接続されその色空間情報を取得したことのある撮像装置、映像表示装置であるかどうかを判断し、もしそうならば、検出された識別情報と関連付けられて保持された変換情報を読み出して色空間補正部で用いる映像撮像記録表示システムについて開示を行なう。
【００４５】
図８は、実施形態Ｃに係る映像撮像記録表示システムの機能ブロック図を例示する。映像撮像記録表示システムは、撮像装置８０１と、映像表示装置８０２と、映像記録再生装置８０３と、からなる。撮像装置８０１は、実施形態Ａなどにおけるように、感光部８０４と、色空間変換部８０５と、色空間情報出力部８０６と、を有する。映像表示装置８０２は、実施形態Ａなどにおけるように、色空間変換部８０７と、信号処理部８０８と、表示部８０９と、色空間情報出力部８１０と、を有する。映像記録再生装置８０３は、実施形態Ａなどにおけるように、記録媒体部８１１と、色空間補正部８１２と、色空間変換情報作成部８１３を有し、さらに変換情報保持部８１４と、接続検出部８１５と、接続検出部８１６と、を有する。
【００４６】
本実施形態では、接続検出部８１５、８１６は、それぞれ撮像装置８０１、映像表示装置８０２との接続を検出すると、撮像装置８０１、映像表示装置８０２の識別情報を取得する。色空間情報作成部８１３は、撮像装置８０１、映像表示装置８０２から色空間情報が取得されると、撮像装置８０１から出力された映像情報の色空間を映像表示装置８０２で表示を行なうための色空間に変換するために必要な情報（例えば、色空間の三点の座標の線形結合の係数を変換するための行列などの情報）を生成し、変換情報として、変換情報保持部８１４へ出力する。
【００４７】
変換情報保持部８１４は、変換情報を取得すると、接続検出部８１５、８１６より、撮像装置８０１、映像表示装置８０２の識別情報を取得する。そして、変換情報を、取得した識別情報と関連付けて保持する。また、色空間補正部８１２へ色空間情報を出力する。また、変換情報保持部８１４は、接続検出部８１５、８１６が撮像装置８０１、映像表示装置８０２との接続を検出した場合には、撮像装置８０１、映像表示装置８０２の識別情報を取得して、その識別情報に関連付けられた変換情報が保持されていないかどうかを判断し、もし保持されていれば、その保持されている変換情報を色空間補正部８１２へ出力する。この場合には、撮像装置８０１、映像表示装置８０２から色空間情報が取得される必要はなく、色空間変換情報作成部８１３を動作させる必要もない。
【００４８】
なお、実施形態Ｂのように変換情報取得部を有していてもよく、接続検出部により、撮像装置、映像表示装置の映像記録再生装置への接続が検出されると、色空間情報出力部より色空間情報が取得されるようになっていてもよい。
【００４９】
本実施形態では、撮像装置８０１、映像表示装置８０２の識別情報と関連付けられて変換情報が保持されるので、一度接続された撮像装置８０１、映像表示装置８０２が検出されたことのある場合には、保持された変換情報を読み出すだけで済み、接続の都度、変換情報を作成する必要がなくなる。
【００５０】
（実施形態Ｄ）
実施形態Ｄとして、撮影状況データ、視聴状況データにも応じて色空間の補正が行なわれる映像撮像記録表示システムについて開示を行なう。
【００５１】
図９は、実施形態Ｄに係る映像撮像記録表示システムの機能ブロック図を例示する。映像撮像記録表示システムは、撮像装置９０１と、映像表示装置９０２と、映像記録再生装置９０３と、からなる。撮像装置９０１は、実施形態Ａなどにおけるように、感光部９０４と、色空間変換部９０５と、色空間情報出力部９０６と、を有し、さらに、撮影状況データ出力部９０７を有する。撮影状況データ出力部９０７は、撮像装置９０１により撮像が行なわれた状況を示す情報を出力する。撮像が行なわれた状況を示す情報とは、例えば、室内で撮像が行なわれたかどうか、屋外で撮像が行なわれたかどうか、シャッタースピード、絞り、温度、湿度、天候などを示す情報である。特に、屋内で撮影が行なわれた場合には、白熱灯の下で撮影が行なわれたか、蛍光灯の下で撮影が行なわれたか、水銀灯の下で撮影が行なわれかなどのどのような照明を用いて撮影がされたかどうかを示す情報が含まれ得る。どのような照明を用いて撮影がされたかは、ホワイトバランスに影響などを与えるので、撮影された映像を表示する場合には、撮像などで取得された映像情報の補正が必要である。例えば、白熱灯の下で撮影が行なわれた場合には、何の補正も行なわないと、全体的に黄色がかかったようにヒトには見えてしまうので、このような影響を除去する補正が必要である。また、温度などによっては、ＣＣＤなどの撮像素子の特性が変化する場合もあり、この変化を除去する必要もあり得る。撮影状況データは、撮像装置９０１がセンサなどを有し、そのセンサからの信号に基づいて自動的に取得されるようになっていてもよいし、撮像装置９０１の利用者が、撮影の状況をボタンなどのインターフェースを用いて入力できるようになっていてもよい。
【００５２】
映像表示装置９０２は、実施形態Ａなどにおけるように、色空間変換部９０８と、信号処理部９０９と、表示部９１０と、色空間情報出力部９１１と、を有し、さらに視聴状況データ出力部９１２を有する。視聴状況データ出力部９１２は、表示部９１０により表示がされる映像の視聴の状況を示すデータである。例えば、表示部が液晶による表示素子を用いている場合には、映像表示装置９０２の周囲の光が表示装置にまわり込み、真っ暗な状況などと比べて、表示される色が変化する場合がある。そこで、映像表示装置９０２は、センサを備え、周囲の光の強さやスペクトルなどを検出し、検出されたデータを視聴状況データとして、視聴状況データ出力部９１２に出力させる。
【００５３】
映像記録再生装置９０３は、実施形態Ａなどにおけるように、記録媒体部９１３と、色空間補正部９１４と、色空間変換情報作成部９１５と、を有する。本実施形態では、色空間変換情報作成部９１５は、撮像装置９０１、映像表示装置９０２から取得された色空間情報に加えて、撮影状況データ出力部９０７により出力された撮影状況データ、視聴状況データ出力部９１２により出力された視聴状況データをも利用して、変換情報を作成する。例えば、撮影状況データにより、白熱灯の下で撮影が行なわれたことが示されていれば、黄色を弱くするような変換情報を作成する。また、温度による撮像素子の特性の変化を打ち消すような変換情報を作成する場合もあり得る。また、表示装置の周りの光がまわり込むことによる色の変化を打ち消すような変換情報を作成する。
【００５４】
本実施形態によれば、撮影状況、視聴状況にも応じた変換がされるので、より忠実に、また、見た目が自然な、映像の表示を得ることができる。
【００５５】
（実施形態Ｅ）
実施形態Ｅとして、撮像装置、映像表示装置が色空間情報出力部を有する必要がなく、映像記録再生装置は、撮像装置、映像表示装置以外から色空間情報が取得可能である映像撮像記録表示システムについて開示を行なう。
【００５６】
図１０は、実施形態Ｅに係る映像撮像記録表示システムの機能ブロック図を例示する。映像撮像記録表示システムは、撮像装置１００１と、映像表示装置１００２と、映像記録再生装置１００３と、からなる。撮像装置１００１は、実施形態Ａなどにおけるように、感光部１００４と、色空間変換部１００５と、を有するが、色空間情報出力部は必須ではない。映像表示装置１００２は、実施形態Ａなどにおけるように、色空間変換部１００６と、信号処理部１００７と、表示部１００８とを有するが、色空間情報出力部は必須ではない。映像記録再生装置１００３は、実施形態Ａなどにおけるように、記録媒体部１００９と、色空間補正部１０１０と、色空間変換情報作成部１０１１と、を有し、さらに色空間情報取得部１０１２を有する。
【００５７】
色空間情報取得部１０１２は、放送、通信、媒体などの経路、すなわち、映像記録再生装置に接続された撮像装置、映像表示装置以外を通じた経路から撮像装置１００１、映像表示装置１００２で撮影、表示される映像情報が定義される色空間を示す情報である色空間情報（簡単のために、「撮像装置１００１、映像表示装置１００２の色空間情報」という）を取得する。例えば、映像記録再生装置１００３が撮像装置１００１と通信を行なうためのドライバソフトウェアやその他のユーティリティソフトウェアなどをインストールするＣＤ−ＲＯＭ（Ｃｏｍｐａｃｔ  Ｄｉｓｃ  Ｒｅａｄ  Ｏｎｌｙ  Ｍｅｍｏｒｙ）などの媒体に、撮像装置１００１の色空間情報が記録されている場合に、色空間情報取得部１０１２は、そのＣＤ−ＲＯＭから色空間情報を取得する。同様に、映像記録再生装置１００３が映像表示装置１００２と通信を行なうためのドライバソフトウェアやその他のユーティリティソフトウェアなどをインストールするＣＤ−ＲＯＭなどの媒体に、映像表示装置１００２の色空間情報が記録されている場合には、色空間情報取得部１０１２は、そのＣＤ−ＲＯＭから色空間情報を取得する。
【００５８】
また、色空間情報取得部１０１２は、インターネットに代表される通信網に接続されており、撮像装置１００１、映像表示装置１００２の機種情報などを送信などし、撮像装置１００１、映像表示装置１００２の製造メーカのウェブサイトなどからその色空間情報をダウンロードして取得できるようになっていてもよい。
【００５９】
また、色空間情報取得部１０１２は、地上波放送、衛星放送、有線放送などの手段により放送される色空間情報を受信して取得するようになっていてもよい。この場合、映像記録再生装置１００３に、何らかの手段、例えば、実施形態Ｃのように接続検出部など、を用いて撮像装置１００１、映像表示装置１００２の機種情報などが入力される必要がある。
【００６０】
本実施形態によれば、撮像装置、映像表示装置に色空間情報出力部を備える必要がないので、撮像装置、映像表示装置のコストダウンなどを図ることができる。
【００６１】
（実施形態Ｆ）
実施形態Ｆとして、映像記録再生装置が着脱が可能な媒体に映像情報を記録することができ、記録された映像情報は、一般の映像編集ソフトウェアで編集などが可能な映像撮像記録表示システムについて開示を行なう。
【００６２】
図１１は、実施形態Ｆに係る映像撮像記録表示システムの機能ブロック図を例示する。映像撮像記録表示システムは、撮像装置１１０１と、映像表示装置１１０２と、映像記録再生装置１１０３と、からなる。撮像装置１１０１は、実施形態Ａなどにおけるように、感光部１１０４と、色空間変換部１１０５と、色空間情報出力部１１０６と、を有する。映像表示装置１１０２は、色空間変換部１１０７と、信号処理部１１０８と、表示部１１０９と、色空間情報出力部１１１０と、を有する。映像記録再生装置１１０３は、記録媒体部１１１１と、色空間補正部１１１２と、を有するが、さらに、色空間情報作成部１１１３と、媒体記録部１１１４と、ｓＲＧＢ変換部１１１５と、を有する。
【００６３】
媒体記録部１１１４は、着脱が可能な媒体、例えば、コンパクトディスクやＤＶＤ、フラッシュメモリなどに、映像情報を記録する部である。ここでいう映像情報には２つのものがあり、一つは、記録媒体部１１１１に記録された映像情報である。この映像情報は、色空間の変換などは行なわないで記録される。もう一つは、ｓＲＧＢ変換部１１１５により、色空間を、撮像装置の色空間情報を参照して撮像装置の色空間からｓＲＧＢなどの標準色空間へ変換した映像情報である。これら二つの映像情報は、例えば、拡張子を除くファイル名が同じで、拡張子が異なるようにして媒体に記録がされる。あるいは、異なる名前のディレクトリに記録される。
【００６４】
本実施形態によれば、色空間の変換などは行なわれていない映像情報と、撮像装置の色空間から標準色空間へ変換した映像情報と、の二つが媒体に記録されるので、一般の映像編集ソフトウェアで編集が可能となる。
【００６５】
（実施形態Ｇ）
実施形態Ｇとして、撮像装置などの色空間情報を算出が可能な映像撮像記録表示システムについて開示を行なう。
【００６６】
図１２は、実施形態Ｇに係る映像撮像記録表示システムの機能ブロック図を例示する。映像撮像記録表示システムは、撮像装置１２０１と、映像表示装置１２０２と、映像記録再生装置１２０３と、からなる。撮像装置は、実施形態Ａなどにおけるように、感光部１２０４と、色空間変換部１２０５を有するが、色空間情報出力部は必須ではない。映像表示装置１２０２は、実施形態Ａなどにおけるように、色空間変換部１２０６と、信号処理部１２０７と、表示部１２０８と、色空間情報出力部１２０９と、を有する。映像記録再生装置１２０３は、実施形態Ａなどにおけるように、記録媒体部１２１０と、色空間補正部１２１１と、色空間情報作成部１２１２と、を有するが、さらに色空間情報生成部１２１３と、カラーパターン生成部１２１４と、スイッチ１２１５と、を有する。
【００６７】
カラーパターン生成部１２１４は、映像記録再生装置１２０３にとって既知の色（ｘｙ色度図などの上での位置が既知の色）からなるカラーパターンを生成する。一つのカラーパターンが複数の色を含んでいてもよいし、カラーパターンに含まれる色が時間の経過に伴って変化するようになっていてもよい。スイッチ１２１５により、カラーパターン生成部１２１４の出力が選択されると、映像表示装置１２０２にカラーパターンが出力され、表示がされる。カラーパターンに含まれる色の一つをｃとし、映像表示装置１２０２の色空間変換部１２０６、信号処理部１２０７、表示部１２０８による変換をＤと表わすことにすると、映像表示装置１２０２には、Ｄ（ｃ）と表わされる色が表示される。これを、撮像装置１２０１により撮影（いいかえると撮像）を行ない、色空間変換部１２０５による変換をＣとすると、Ｃ（Ｄ（ｃ））という色が撮影され、色空間情報生成部１２１３が取得することになる。色空間情報生成部１２１３は、色空間情報出力部１２１０から出力される色空間情報からＤを知ることができるので、Ｄ（ｃ）が計算できる。したがって、カラーパターンに含まれる全ての色ｃについて、Ｃ（Ｄ（ｃ））と、Ｄ（ｃ）と、を比較することにより、色空間情報生成部１２１３は、ＣあるいはＣを近似したものを求めることができ、撮像装置１２０１の色空間情報を求めることができる。
【００６８】
以上は、撮像装置１２０１が色空間情報出力部を有しない場合であったが、撮像装置１２０１が色空間情報出力部を有するが、映像表示装置１２０２が色空間情報出力部を有しない場合には、撮像装置１２０１の色空間情報から、Ｃが計算できるので、Ｃ−１などを求めることにより、Ｃ（Ｄ（ｃ））から、Ｄ（ｃ）を求めることができ、ＤあるいはＤを近似したものを求めることもできる。
【００６９】
本実施形態では、撮像装置、映像表示装置のいずれかの色空間情報が不明であっても、カラーパターンを生成し、それを映像表示装置に表示し、撮像装置により撮影を行なうことにより、不明である色空間情報を求めることができる。
【００７０】
以下では、以上開示した構成を別の側面から開示する。
【００７１】
（実施形態１）
実施形態１として、送信元電子機器から第一映像情報を取得し、第一映像情報を定義した色空間を示す第一色空間情報を取得し、第一映像情報を、第一色空間情報を変数とした演算によって、第一色空間情報と異なる第二色空間情報による色空間で定義される第二映像情報に変換する電子機器について開示を行なう。
【００７２】
図１３は、実施形態１に係る電子機器の機能ブロック図を例示する。電子機器１３０１は、第一映像情報取得部１３０２と、第一色空間情報取得部１３０３と、第二変換部１３０４と、を有する。
【００７３】
「第一映像情報取得部」１３０２は、他の電子機器である送信元電子機器１３０５から第一映像情報を取得する。送信元電子機器１３０５は、例えば、デジタルカメラや、ビデオカメラ、カメラ付の携帯電話などが該当し、実施形態Ａなどの撮像装置に相当する。ただし、カメラなどの光学系を備える必要はなく、映像情報を保持できる電子機器であればよい。例えば、コンピュータグラフィクス画像などの映像情報を生成するパーソナルコンピュータや、デジタルカメラなどで撮影した映像情報を蓄積する装置であってもよい。本実施形態において、第一映像情報は、デジタルカメラなどでのローデータであることが好ましい。また、第一映像情報取得部１３０２は、映像情報を取得する際、電子機器の備える有線端子による有線通信手段を用いてもよい。また、電子機器の備える赤外線端子による赤外線通信手段を用いてもよい。また、電子機器の備える赤外線以外の無線端子による赤外線以外の無線通信手段を用いてもよい。
【００７４】
「第一色空間情報取得部」１３０３は、第一映像情報を定義した第一色空間を示す第一色空間情報を取得する。すなわち、どのような値の組合せにより、第一映像情報により表現される色が特定されるかを示す情報である。例えば、図２に示した、ｘｙ色度図において頂点となるＲ、Ｇ、Ｂの各点の座標についての情報である。第一色空間情報取得部１３０３は、例えば、送信元電子機器１３０５から出力される第一色空間情報を取得する。しかし、第一色空間情報は、送信元電子機器１３０５から出力されることに限定はされない。例えば、放送受信手段、通信手段、媒体の読み取り手段などにより、送信元電子機器１３０５以外から取得される場合もある。また、電子機器１３０１がハードディスクやメモリなどを有する場合には、そのハードディスクやメモリなどに第一色空間情報が記憶されており、それを読み出すことにより、取得がされる場合もあり得る。また、第一色空間情報を送信元電子機器などから取得する際には、電子機器の備える有線端子による有線通信手段を用いてもよい。また、電子機器の備える赤外線端子による赤外線通信手段を用いてもよい。また、電子機器の備える赤外線以外の無線端子による赤外線以外の無線通信手段を用いてもよい。これらの手段は、第一映像情報を取得する手段と共通化するのが好ましいが、必ずしも共通化しなければいけないものではなく、手段が異なっていてもよい。
【００７５】
「第二変換部」１３０４は、第一色空間情報を変数とした演算によって、第一映像情報を第一色空間とは異なる色空間である第二色空間を用いて定義した映像情報である第二映像情報に変換する。例えば、第一色空間が、図６の色空間６０１であり、第二色空間が図６の色空間６０２であれば、例えば、色６０３の位置を示す情報を、Ｒ１、Ｇ１、Ｂ１を用いた表現から、Ｒ３、Ｇ３、Ｂ３を用いた表現に変換して、第一映像情報を第二映像情報に変換する。
【００７６】
したがって、本実施形態に係る電子機器は、例えば、実施形態Ａにおける映像撮像記録表示システムにおいて、映像表示装置が特定され、その色空間情報が定まった状態で、撮像装置から色空間情報が取得されて、色空間変換情報作成部で変換情報が生成され、その変換情報を用いて、色空間補正部にて、色空間の変換などが行なわれる場合の映像記録再生装置に相当することとなる。
【００７７】
図１４は、実施形態１に係る電子機器における処理のフローチャートを例示する。ステップＳ１４０１において、第一映像情報取得部１３０２を動作させることで、第一映像情報を取得する。ステップＳ１４０２において、第一色空間情報取得部を動作させることで、第一色空間情報を取得する。ステップＳ１４０３において、第二変換部１３０４を動作させることで、第一色空間情報を変数とした演算によって、第一映像情報を第二映像情報に変換する。第一色空間情報を変数とした演算とは、例えば、第一色空間情報をパラメータとして用いる演算である。電子機器が、ＣＰＵ、メモリ、などからなる計算機で実現される場合には、第一色空間情報を特定する情報を引数とする関数や手続が相当する。もちろん電子機器は、計算機のみで実現可能なものに限定されることはなく、電子回路を用いても実現が可能である（他の実施形態においても同様である）。
【００７８】
（実施形態２）
実施形態２として、送信元電子機器から取得した映像情報を保持し、送信先電子機器における色情報を定義する情報である第三色空間情報を取得し、第三色空間情報を変数とした演算により、保持されている映像情報を、第三色空間情報が示す色空間で定義される映像情報に変換する電子機器について開示を行なう。
【００７９】
図１５は、実施形態２に係る電子機器の機能ブロック図を例示する。電子機器１５０１は、映像情報保持部１５０２と、第三色空間情報取得部１５０３と、第三変換部１５０４と、第三映像情報送信部１５０５と、を有する。
【００８０】
「映像情報保持部」１５０２は、送信元電子機器１５０６から取得した映像情報を保持する。映像情報保持部１５０２は、例えば、実施形態Ａなどの映像記録再生装置の記録媒体部が実現されるように実現が可能である。なお、送信元電子機器１５０６から映像情報を取得する手段としては、実施形態１のように、有線端子を用いる手段、赤外線端子を用いる手段、赤外線以外の無線端子を用いる手段などがある。
【００８１】
「第三色空間情報取得部」１５０３は、他の電子機器である送信先電子機器１５０７における映像情報を定義する第三色空間を示す第三色空間情報を取得する。実施形態１における第一色空間情報のように、第三色空間情報は、送信先電子機器１５０７から取得されてもよいし、他の電子機器などから取得されたり、電子機器１５０１の内部に保持などされているものが読み出されたりしてもよい。なお、送信先電子機器１５０７から第三色空間情報を取得する際には、上述したように、有線端子を用いる手段、赤外線端子を用いる手段、赤外線以外の無線端子を用いる手段などがある。
【００８２】
「第三変換部」１５０４は、第三色空間情報を変数とした演算によって、保持されている映像情報を、第三色空間を用いて定義した映像情報である第三映像情報に変換する。すなわち、映像情報保持部１５０２に保持されている映像情報を読出し、第三色空間情報をパラメータなどとして用いる演算を適用して、第三映像情報を生成する。
【００８３】
「第三映像情報送信部」１５０５は、送信先電子機器１５０７に対して第三映像情報を送信する。送信先電子機器１５０７としては、主に、液晶ディスプレイなどを構成する表示素子を用いた映像表示装置が想定される。しかし、映像表示装置に限定されるものではなく、映像情報を伝送する装置や、蓄積する装置などであってもよい。
【００８４】
また、送信先電子機器１５０７へ第三映像情報を送信する手段としては、有線端子を用いる手段、赤外線端子を用いる手段、赤外線以外の無線端子を用いる手段などがある。
【００８５】
したがって、本実施形態に係る電子機器は、例えば、実施形態Ａにおける映像撮像記録表示システムにおいて、撮像装置が特定され、その色空間情報が定まった状態で、映像表示装置から色空間情報が取得されて、色空間変換情報作成部で変換情報が生成され、その変換情報を用いて、色空間補正部にて、色空間の変換などが行なわれる場合の映像記録再生装置に相当することとなる。
【００８６】
図１６は、実施形態２に係る電子機器における処理のフローチャートを例示する。ステップＳ１６０１において、映像情報保持部１５０２から映像情報を読み出す。例えば、特定のブロックに記録されている映像情報を読み出す。ステップＳ１６０２において、第三色空間情報取得部１５０３を動作させることで、第三色空間情報を取得する。ステップＳ１６０３において、第三変換部１５０４を動作させることで、第三色空間情報を変数とした演算によって、映像情報を第三映像情報に変換する。ステップＳ１６０４において、第三映像情報送信部１５０５を動作させて、第三映像情報を送信する。
【００８７】
（実施形態３）
実施形態３として、送信元電子機器から取得する第四映像情報の定義に用いられた色空間を示す情報である第四色空間情報を取得し、送信先電子機器にて利用する第五映像情報の定義に用いられる色空間を示す情報である第五色空間情報を取得して、第四色空間情報の色空間で定義された映像を、第五色空間情報が示す色空間で定義される映像に変換する電子機器について開示を行なう。
【００８８】
図１７は、実施形態３に係る電子機器の機能ブロック図を例示する。電子機器１７０１は、第四色空間情報取得部１７０２と、第五色空間情報取得部１７０３と、第四／五変換部１７０４と、を有する。
【００８９】
「第四色空間情報取得部」１７０２は、送信元電子機器１７０５から取得する第四映像情報の定義に用いられた色空間を示す第四色空間情報を取得する。例えば、実施形態Ａなどにおけるように、映像記録再生装置の色空間変換情報作成部が、撮像装置の色空間情報出力部から色空間情報を取得することに相当する。もちろん、実施形態１などのように、本実施形態でも、第四色空間情報は、送信元電子機器１７０５以外から取得される場合もあり得る。また、第四色空間情報を送信元電子機器１７０５から取得する手段としては、有線端子を用いる手段、赤外線端子を用いる手段、赤外線以外の無線端子を用いる手段などがある。また、これらの手段は、送信元電子機器１７０５から第四映像情報を取得する手段と共通化されていてもよいし、異なっていてもよい。
【００９０】
「第五色空間情報取得部」１７０３は、送信先電子機器１７０６にて利用する第五映像情報の定義に用いられる色空間を示す第五色空間情報を取得する。例えば、実施形態Ａなどにおけるように、映像記録再生装置の色空間変換情報作成部が、映像表示装置の色空間情報出力部から色空間情報を取得することに相当する。もちろん、実施形態２などのように、本実施形態でも、第五色空間情報は、送信先電子機器１７０６以外から取得される場合もあり得る。また、第五色空間情報を送信先電子機器１７０６より取得する手段としては、有線端子を用いる手段、赤外線端子を用いる手段、赤外線以外の無線端子を用いる手段などがある。
【００９１】
「第四／五変換部」１７０４は、取得した第四映像情報を、取得した第四色空間情報及び第五色空間情報に基づいて変換する。「基づいて」とは利用してという意味である。例えば、第四色空間情報と第五色空間情報とをパラメータとして利用する演算により、第四映像情報の色空間を変換する。ここに第四映像情報とは、送信元電子機器１７０５から取得された映像情報であることが想定される。また、第四映像情報を第四／五変換部１７０４により変換して得られた映像情報は、送信先電子機器１７０６へ送信されることが主に想定される。送信の際の手段としては、有線端子を用いる手段、赤外線端子を用いる手段、赤外線以外の無線端子を用いる手段などがある。
【００９２】
したがって、本実施形態に係る電子機器は、実施形態Ａなどにおける映像記録再生装置に対応することになる。
【００９３】
図１８は、実施形態３に係る電子機器における処理のフローチャートを例示する。ステップＳ１８０１において、図示されていない第四映像情報取得部などを動作させて、第四映像情報を取得する。ステップＳ１８０２において、第四色空間情報取得部１７０２を動作させて第四色空間情報を取得する。ステップＳ１８０３において、第五色空間情報取得部１８０３を動作させて第五色空間情報を取得する。ステップＳ１８０４において、第四／五色変換部を動作させて、第四色空間情報と第五色空間情報に基づいて、第四映像情報を変換する。変換により得られた映像情報は、例えば、図示されていない第五映像情報出力部などにより、送信先電子機器１７０６などへ出力される。
【００９４】
（実施形態４）
実施形態４として、送信元電子機器又は／及び送信先電子機器との映像情報送受信接続を検知し、その検知結果に基づいて、色空間情報の取得命令を出力する電子機器について開示する。
【００９５】
図１９は、実施形態４に係る電子機器の内部の機能ブロック図を例示する。実施形態４に係る電子機器は、実施形態１から３のいずれかに係る電子機器が、検知部１９０１と、制御部１９０２と、をさらに有する構成となっている。
【００９６】
「検知部」１９０１は、送信元電子機器又は／及び送信先電子機器との映像情報送受信接続を検出する。例えば、実施形態１に係る電子機器の構成が基にされている場合には、送信元電子機器１３０５から送信される第一映像情報を受信するための接続が行なわれたことを検出する。また、実施形態２に係る電子機器の構成が基にされている場合には、送信先電子機器１５０７への送信が可能になったことを検出する。検出とは、例えば、有線手段による場合にはＵＳＢ接続などがされ有線通信リンクの確立、無線接続の場合には無線リンクの確立を検出することなどである。
【００９７】
「制御部」１９０２は、検知部１９０１の検知結果に基づいて前記色空間情報の取得命令を出力する。例えば、実施形態１が基にされている場合には、第一色空間情報取得部１３０３に、第一色空間情報を取得する命令が出力される。実施形態２が基にされている場合には、第三色空間情報取得部１５０３に、第三色空間情報を取得する命令が出力される。実施形態３が基にされている場合には、送信元電子機器１７０５との映像情報送受信接続が検出されると、第四色空間情報取得部１７０２に、第四色空間情報を取得する命令が出力される。また、送信先電子機器１７０６との映像情報送受信接続が検出されると、第五色空間情報取得部１７０３に、第五色空間情報を取得する命令が出力される。なお、図１９において、「第一、第三または第四及第五色空間情報取得部」１９０３とは、以上の説明における第一色空間情報取得部１３０３、第三色空間情報取得部１５０３、第四色空間情報取得部１７０２、第五色空間情報取得部１７０３のいずれかである。
【００９８】
したがって、本実施形態に係る電子機器は、実施形態Ｂなどにおける映像記録再生装置に相当すると言える。
【００９９】
（実施形態５）
実施形態５として、複数の変換関数を保持し、送信元電子機器又は／及び送信先電子機器の識別情報に応じて変換関数を選択する電子機器について説明する。
【０１００】
図２０は、実施形態５に係る電子機器の変換部の機能ブロック図を例示する。第二、第三又は第四／第五変換部２００１とは、実施形態５に係る電子機器が、実施形態１などを基にする場合には、第二変換部１３０４を、実施形態２などを基にする場合には、第三変換部１５０４を、実施形態３などを基にする場合には、第四／五変換部１７０４を、意味する。本実施形態では、こられのいずれかの変換部は、変換関数保持手段２００２と、選択手段２００３と、を有する。
【０１０１】
「変換関数保持手段」２００２とは、複数の変換関数を保持する。ここでいう「複数の変換関数」とは、実施形態１などの場合における「第一色空間情報を変数とした演算」を行なう変換関数、実施形態２などの場合における「第三色空間情報を変数とした演算」を行なう変換関数、実施形態３などの場合における「取得した第四色空間情報及び第五色空間情報に基づいて変換する」変換関数として理解される。例えば、これらの変換関数を実現するプログラムを複数記憶可能な記憶手段により、変換関数保持手段２００２が実現される。
【０１０２】
「選択手段」２００３とは、送信元電子機器又は／及び送信先電子機器の識別情報に応じて、変換関数保持手段２００２に保持されている変換関数を選択する。例えば、実施形態１などの場合には、送信元電子機器１３０５の識別情報が取得され、その識別情報と関連付けなどされた「第一色空間情報を変数とした演算」を行なうための変換関数が選択される。実施形態２などの場合には、送信先電子機器１５０７の識別情報が取得され、その識別情報と関連づけなどされた「第三色空間情報を変数とした演算」を行なうための変換関数が選択される。実施形態３などの場合には、送信元電子機器１７０５の識別情報と送信先電子機器１７０６の識別情報とが取得され、それらの識別情報と関連付などされた「取得した第四色関数及び第五色関数に基づいて変換する」ための変換関数が取得される。なお、「識別情報」とは、送信元電子機器又は／及び送信先電子機器を個々に識別するための情報や機種の情報を識別する情報などである。色空間情報が異なると、識別情報も異なる場合が多い。識別情報は、例えば、実施形態４などの場合には、検知部１９０１で検出することもできる。また、第一映像情報取得部１３０２、送信元電子機器１５０６から映像情報保持部１５０２に保持される映像情報を取得する部（図示せず）、第四映像情報取得部（図示せず）、第五映像情報出力部（図示せず）により取得することも可能である。また、電子機器の利用者により入力されることも可能である。
【０１０３】
したがって、本実施形態に係る電子機器は、実施形態Ｃにおける映像記録再生装置に相当すると言える。
【０１０４】
（実施形態６）
実施形態６として、送信元電子機器が撮像装置などであり、撮像の際の撮影条件を送信する場合には、その撮影条件を取得して、撮影条件にも基づいて映像情報の色空間の変換を行なう電子機器について開示する。
【０１０５】
図２１は、実施形態６において主に想定される送信元電子機器の機能ブロック図を例示する。送信元電子機器２１０１は、撮影部２１０２と、撮影条件取得部２１０３と、映像情報送信部２１０４と、を有する。「撮影部」２１０２は、映像情報を撮影する部である。例えば、実施形態Ａなどにおける撮像装置の感光部、色空間変換部である。「撮影条件取得部」２１０３は、撮影部２１０２にて映像情報を撮影した際の撮影条件を取得する。例えば、実施形態Ｄなどにおける撮影状況データ出力部９０７により出力される、撮影が行なわれた状況を示すデータを取得する。実施形態Ｄで説明したように、室内で撮像が行なわれたかどうか、屋外で撮像が行なわれたかどうか、シャッタースピード、絞り、温度、湿度などを示す情報を取得する。「映像情報送信部」２１０４は、撮影部２１０２で撮影された映像情報をその撮影条件と関連付けて送信する。例えば、映像情報を送った直後に、撮影条件を送信したり、映像情報と撮影条件とを一まとまりのデータとして送信したりする。
【０１０６】
図２２は、実施形態６に係る電子機器の内部の機能ブロック図を例示する。実施形態６に係る電子機器は、実施形態１から５のいずれかに係る電子機器が、撮影条件取得部２２０１をさらに有し、変換部（基にする実施形態に応じて、第一変換部、第三変換部、第四／第五変換部となる）が、撮影条件依存変換手段２２０３を有する。
【０１０７】
「撮影条件取得部」２２０１は、送信された映像情報と関連付けられた撮影条件を主と取得する。
【０１０８】
「撮影条件依存変換手段」２２０３は、取得した撮影条件にも基づいて、変換を行なう。例えば、撮影条件が、白熱灯の下で撮影されたことを示している場合には、黄色の色を弱くするようにも変換を行なう。
【０１０９】
したがって、本実施形態に係る電子機器は、実施形態Ｄにおける映像記録再生装置に相当すると言える。
【０１１０】
（実施形態７）
実施形態７として、送信先電子機器が映像表示装置などであり、表示される映像情報の視聴条件を取得して送信する場合には、その視聴条件を取得して、視聴条件にも基づいて映像情報の色空間の変換を行なう電子機器について開示する。
【０１１１】
図２３は、実施形態７において主に想定される送信先電子機器の機能ブロック図を例示する。送信先電子機器２３０１は、ディスプレイ２３０２と、視聴条件送信部２３０３と、を有する。「ディスプレイ」２３０２は、映像情報を視聴させるためのものである。例えば、実施形態Ａなどにおける映像表示装置の色空間変換部、信号処理部、表示部である。「視聴条件送信部」２３０３は、ディスプレイ２３０２を用いて映像情報が視聴がされるときの視聴条件を送信する。例えば、実施形態Ｄなどにおける映像表示装置のセンサなどにより検出された周囲の光の強さやスペクトルなどの情報を送信する。
【０１１２】
図２４は、実施形態７に係る電子機器の内部の機能ブロック図を例示する。実施形態７に係る電子機器は、実施形態２または３などに係る電子機器が、視聴条件取得部２４０１をさらに有し、変換部が視聴条件依存変換手段２４０３を有する。
【０１１３】
「視聴条件取得部」２４０１は、送信された視聴条件を取得する。例えば、変換された映像情報を送信先電子機器へ送信するための通信手段を用いて視聴条件を受信などする。
【０１１４】
「視聴条件依存変換手段」２４０３は、取得した視聴条件にも基づいて、変換を行なう。例えば、実施形態Ｄで説明したように、周囲の光の強さやスペクトルなどに応じて、まわり込む光を推測して、それに伴う表示の色変化を推測し、その色変化を打ち消すような変換を行なう。
【０１１５】
したがって、本実施形態に係る電子機器は、実施形態Ｄにおける映像記録再生装置に相当すると言える。
【０１１６】
（実施形態８）
実施形態８として、着脱可能な記録媒体などに、取得した映像情報を記録する場合には、規格化されている標準色空間にて定義される映像情報に変換を行なった映像情報をも記録する電子機器について開示する。
【０１１７】
図２５は、実施形態８に係る電子機器の内部の機能ブロック図を例示する。実施形態８に係る電子機器は、実施形態１から７のいずれかに係る電子機器が、さらに規格化記録部２５０１と、映像情報記録部２５０３と、をさらに有する。
【０１１８】
「規格化記録部」２５０１は、本実施形態に係る電子機器により取得された映像情報を、規格化された色空間にて定義される映像情報である規格化映像情報にて媒体２５０２に記録する。「規格化された色空間」とは、例えば、ｓＲＢＧやｘｖＹＣＣなどの標準（デファクトスタンダードも含み得る）として制定されている色空間を意味する。このように規格化された色空間にて定義される映像情報として記録を行なうことにより、一般の映像変数ソフトウェアなどで映像情報を編集などすることができる。また、「取得された映像情報」とは、実施形態１などを基にする場合には、送信元電子機器１３０５より取得された映像情報を、実施形態２などを基にする場合には、映像情報保持部１５０２に保持された映像情報を、実施形態３などを基にする場合には、送信元電子機器１７０５より取得された映像情報を、意味する。また、規格化された色空間で定義された映像情報を得るために、取得された映像情報の色空間情報が参照される。例えば、実施形態１などを基にする場合には、第一色空間情報が、実施形態２などを基にする場合には、送信元電子機器１５０６により定まる色空間情報が、実施形態３などを基にする場合には、第四色空間情報が、参照される。
【０１１９】
「映像情報記録部」２５０３は、取得した映像情報を媒体２５０２に記録する。すなわち、取得した映像情報が、デジタルカメラなどにより得られるローデータである場合には、ローデータのまま媒体２５０２に記録する。これにより、そのデジタルカメラ専用に作成されたソフトウェアにより、高精度の色にて編集などを行なうことができる。
【０１２０】
したがって、本実施形態に係る電子機器は、例えば、実施形態Ｆにおける映像記録再生装置に相当すると言える。
【０１２１】
（実施形態９）
実施形態９として、色空間での定義が明らかなリファレンス映像情報を送信し、表示されたリファレンス映像情報を撮影した映像を取得し、リファレンス映像情報と比較を行ない、変換関数を求める電子機器について開示する。
【０１２２】
図２６は、実施形態９に係る電子機器の内部の機能ブロック図を例示する。実施形態９に係る電子機器は、実施形態１から８のいずれかに係る電子機器が、さらにリファレンス映像情報送信部２６０１と、サンプル映像情報取得部２６０２と、色空間情報算出部２６０３と、をさらに有する構成となっている。
【０１２３】
「リファレンス映像情報送信部」２６０１は、送信先電子機器２６０４に対して送信先電子機器で再生に利用される色空間での定義が明らかなリファレンス映像情報を送信する。したがって、実施形態Ｇにおけるカラーパターン生成部１２１４で生成されたカラーパターンを映像表示装置１２０２に送信する、映像記録再生装置の部に相当する。
【０１２４】
「サンプル映像情報取得部」２６０２は、サンプル映像情報が送信された送信先電子機器２６０４で再生されたリファレンス映像情報を撮像した映像であるサンプル映像情報を、送信元電子機器２６０５から取得する。したがって、実施形態Ｇにおける映像表示装置に表示されたカラーパターンを撮像装置１２０１で撮像した映像情報を取得する、映像記録再生装置の部に相当する。
【０１２５】
「色空間情報算出部」２６０３は、送信したリファレンス映像情報と、取得したサンプル映像情報とに基づいて、送信元電子機器が出力する映像情報を定義する色空間を示す色空間情報を算出する。
【０１２６】
図２７は、実施形態９に係る電子機器の処理のフローチャートを例示する。ステップＳ２７０１において、リファレンス映像情報送信部２６０１を動作させて、リファレンス映像情報を送信する。ステップＳ２７０２において、送信先電子機器２６０４を動作させてリファレンス映像情報を表示する。ステップＳ２７０３において、送信元電子機器などを動作させて、リファレンス映像情報を撮像し、サンプル映像情報とする。ステップＳ２７０４において、サンプル映像情報取得部２６０２を動作させてサンプル映像情報を取得する。ステップＳ２７０５において、色空間情報算出部２６０３を動作させて、色空間情報を算出する。なお、リファレンス映像情報が、時間とともに変化する場合には、ステップＳ２７０１からステップＳ２７０４までを繰り返し実行し、複数のサンプル映像情報が取得されるようになっていてもよい。
【０１２７】
したがって、本実施形態に係る電子機器は、例えば、実施形態Ｇにおける映像記録再生装置に相当すると言える。
【図面の簡単な説明】
【０１２８】
【図１】従来技術における映像撮像記録表示システムの機能ブロック図
【図２】ｘｙ色度図の一例図
【図３】撮像装置における撮像素子により検出可能な色空間と標準色空間との関係を示す図
【図４】標準色空間と映像表示装置における表示素子により表現可能な色空間との関係を示す図
【図５】実施形態Ａに係る映像撮像記録表示システムの機能ブロック図
【図６】色空間の変換を説明するための図
【図７】実施形態Ｂに係る映像撮像記録表示システムの機能ブロック図
【図８】実施形態Ｃに係る映像撮像記録表示システムの機能ブロック図
【図９】実施形態Ｄに係る映像撮像記録表示システムの機能ブロック図
【図１０】実施形態Ｅに係る映像撮像記録表示システムの機能ブロック図
【図１１】実施形態Ｆに係る映像撮像記録表示システムの機能ブロック図
【図１２】実施形態Ｇに係る映像撮像記録表示システムの機能ブロック図
【図１３】実施形態１に係る電子機器の機能ブロック図
【図１４】実施形態１に係る電子機器における処理のフローチャート
【図１５】実施形態２に係る電子機器の機能ブロック図
【図１６】実施形態２に係る電子機器における処理のフローチャート
【図１７】実施形態３に係る電子機器の機能ブロック図
【図１８】実施形態３に係る電子機器における処理のフローチャート
【図１９】実施形態４に係る電子機器の内部の機能ブロック図
【図２０】実施形態５に係る電子機器の変換部の機能ブロック図
【図２１】実施形態６において主に想定される送信元電子機器の機能ブロック図
【図２２】実施形態６に係る電子機器の内部の機能ブロック図
【図２３】実施形態７において主に想定される送信先電子機器の機能ブロック図
【図２４】実施形態７に係る電子機器の内部の機能ブロック図
【図２５】実施形態８に係る電子機器の内部の機能ブロック図
【図２６】実施形態９に係る電子機器の内部の機能ブロック図
【図２７】実施形態９に係る電子機器の処理のフローチャート
【符号の説明】
【０１２９】
１３０１  電子機器
１３０２  第一映像情報取得部
１３０３  第一色空間情報取得部
１３０４  第二変換部
１３０５  送信元電子機器
【図１】
2008098849.tif 000003
【図２】
2008098849.tif 000004
【図３】
2008098849.tif 000005
【図４】
2008098849.tif 000006
【図５】
2008098849.tif 000007
【図６】
2008098849.tif 000008
【図７】
2008098849.tif 000009
【図８】
2008098849.tif 000010
【図９】
2008098849.tif 000011
【図１０】
2008098849.tif 000012
【図１１】
2008098849.tif 000013
【図１２】
2008098849.tif 000014
【図１３】
2008098849.tif 000015
【図１４】
2008098849.tif 000016
【図１５】
2008098849.tif 000017
【図１６】
2008098849.tif 000018
【図１７】
2008098849.tif 000019
【図１８】
2008098849.tif 000020
【図１９】
2008098849.tif 000021
【図２０】
2008098849.tif 000022
【図２１】
2008098849.tif 000023
【図２２】
2008098849.tif 000024
【図２３】
2008098849.tif 000025
【図２４】
2008098849.tif 000026
【図２５】
2008098849.tif 000027
【図２６】
2008098849.tif 000028
【図２７】
2008098849.tif 000029